(57)【要約】【課題】  本発明は、迅速な入力を行うことができ、入力の精度が高く情報入力方法及びその装置を提供することを目的とする。【解決手段】  手入力により確定情報を入力するとともに認識により確度が完全ではない確率情報を入力する情報入力方法であって、確率情報について複数の候補を表示手段に提示し、提示された前記複数の候補から単一の候補を前記確定情報の入力により選択して確定する。【選択図】      図１
2006011641.tif 000002
【特許請求の範囲】
【請求項１】
確定情報を入力するとともに確度が完全ではない確率情報を入力する情報入力方法であって、
前記確率情報について複数の候補を表示手段に提示し、
提示された前記複数の候補から単一の候補を前記確定情報の入力により選択して確定することを特徴とする情報入力方法。
【請求項２】
確定情報を入力する確定情報入力手段と、
確度が完全ではない確率情報を入力し複数の候補を得る確率情報入力手段と、
前記確率情報について複数の候補を表示手段に提示する候補表示手段と、
提示された前記複数の候補から単一の候補を前記確定情報入力手段の入力により選択して確定する選択確定手段を
有することを特徴とする情報入力装置。
【請求項３】
請求項２記載の情報入力装置において、
前記確率情報入力手段で入力される確率情報に対する候補を前記確定情報入力手段で入力された確定情報に対応する候補だけに制限する第１候補制限手段を
有することを特徴とする情報入力装置。
【請求項４】
請求項２記載の情報入力装置において、
前記確率情報入力手段で入力される複数項目のいずれかに対する候補を前記確定情報入力手段の入力により選択する入力項目選択手段と、
確率情報に対する候補を前記入力項目選択手段で選択された項目に対応する候補だけに制限する第２候補制限手段を
有することを特徴とする情報入力装置。
【請求項５】
請求項２記載の情報入力装置において、
前記確率情報入力手段で入力される確率情報を構成する一部を前記確定情報入力手段の入力により選択する部分選択手段と、
前記確率情報入力手段で入力される確率情報に対する候補を前記部分選択手段で選択された文字を有する候補だけに制限する第３候補制限手段を
有することを特徴とする情報入力装置。
【発明の詳細な説明】
【技術分野】
【０００１】
本発明は、情報入力方法及びその装置に関し、入力により入力内容が一意的に確定する確定情報と入力により入力内容が一意的に確定せず確率的に扱われる確率情報とを併用して情報入力を行う情報入力方法及びその装置に関する。
【背景技術】
【０００２】
背景として、コールセンタでの入力を例として説明する。ユーザからの製品に対する質問、クレーム、注文等を電話にて受付けるコールセンタシステムでは、コールセンタのオペレータがキーボードやマウスを用いて手入力を行うとともに、ユーザやオペレータの声を音声認識してシステムに対し入力を行うことが考えられている。
【０００３】
この場合、キーボードまたはマウスでの入力は、入力により入力内容が一意的に確定する情報であり、本明細書及び特許請求項の範囲では、確定情報と呼ぶ。音声認識での入力は、認識の誤りや一部分のみの認識が発生する場合があり、入力内容が一意的に確定しないため、本明細書及び特許請求項の範囲では、確率情報と呼ぶ。このような確率情報としては、音声認識入力の他に、画像認識入力やＯＣＲ認識入力等がある。これらはいずれも入力が確定的でないという属性を有している。
【０００４】
コールセンタの事例では先行技術として、例えば特許文献１，２に記載の技術が存在する。特許文献１には、利用者の音声を認識して認識結果を表示し、オペレータは表示された認識結果を参照しながら利用者の音声を復唱し、このオペレータの音声を認識して、利用者の音声の認識結果とオペレータの音声の認識結果のうち、認識率の高い方を最終的な認識結果として選択し入力処理を行うことが記載されている。
【０００５】
また、特許文献２には、受信側の特定話者の音声を音声認識した特定話者データと、発信側の不特定話者の音声を音声認識した不特定話者データと、特定話者が通話と同時に入力したキーボードデータを注釈データに含め、不特定話者の会話に対して特定話者が復唱して音声認識を容易にすることが記載されている。
【特許文献１】特開平１０−３２２４５０号公報
【特許文献２】特開２００３−３１６３７４号公報
【発明の開示】
【発明が解決しようとする課題】
【０００６】
確定情報であるキーボードまたはマウスでの入力と、確率情報である音声認識等での入力には、以下に示す問題が存在する。確定情報であるキーボードまたはマウスでの入力には時間を要する。キーボード入力では入力語の全てを間違いなく入力する必要があり、時間を要するとともに、オペレータの意識の集中を必要となる。更に、コールセンタでオペレータが会話中にキーボードで入力する場合にはユーザとの会話に集中できない、誤入力の発生、事後入力での入力漏れの発生等の問題が生じる。
【０００７】
一方、確率情報である音声認識入力には誤認識の問題がある。音声認識の基本的な仕組みは、あらかじめ登録された候補語から音声認識された言葉の音に最も近いものを選択する構成である。このような入力形態では、候補語の数が多くなるとともに音声認識が難しくなり、正しい候補語が選択される可能性が少なくなる。この問題は音声認識の認識率が向上した現在でも完全には解決されない問題である。音声認識のほか、画像認識やＯＣＲ認識の他の入力手段を用いてもこのような問題が潜在的に存在する。
【０００８】
以下、コールセンタの例でいうと、オペレータがキーボードやマウスを用いて手入力を行うと、入力に時間がかかる。音声認識では、認識率（確度）の最も高い候補語を１つだけ選択し、この選択した候補語を入力している。しかし、音声認識の認識率は１００％ではないために、最大の確度が得られた候補語が必ずしも正解の単語ではなく、入力の精度が低いという問題があった。
【０００９】
また、音声認識では、候補語が増えるほど認識率が低下し、コールセンタに適用した場合に候補語が多くなれば、それだけ認識率が低下するという問題があった。
【００１０】
本発明は、上記の点に鑑みなされたものであり、迅速な入力を行うことができ、入力の精度が高く情報入力方法及びその装置を提供することを目的とする。
【課題を解決するための手段】
【００１１】
請求項１に記載の発明は、確定情報を入力するとともに確度が完全ではない確率情報を入力する情報入力方法であって、
前記確率情報について複数の候補を表示手段に提示し、
提示された前記複数の候補から単一の候補を前記確定情報の入力により選択して確定することにより、迅速な入力を行うことができ、入力の精度が高くなる。
【００１２】
請求項２に記載の発明は、確定情報を入力する確定情報入力手段と、
確度が完全ではない確率情報を入力し複数の候補を得る確率情報入力手段と、
前記確率情報について複数の候補を表示手段に提示する候補表示手段と、
提示された前記複数の候補から単一の候補を前記確定情報入力手段の入力により選択して確定する選択確定手段を有することにより、迅速な入力を行うことができ、入力の精度が高くなる。
【００１３】
請求項３に記載の発明は、請求項２記載の情報入力装置において、
前記確率情報入力手段で入力される確率情報に対する候補を前記確定情報入力手段で入力された確定情報に対応する候補だけに制限する第１候補制限手段を
有することにより、確度の高い候補を得ることができ、入力の精度が高くなる。
【００１４】
請求項４に記載の発明は、請求項２記載の情報入力装置において、
前記確率情報入力手段で入力される複数項目のいずれかに対する候補を前記確定情報入力手段の入力により選択する入力項目選択手段と、
確率情報に対する候補を前記入力項目選択手段で選択された項目に対応する候補だけに制限する第２候補制限手段を有することにより、確度の高い候補を得ることができ、入力の精度が高くなる。
【００１５】
請求項５に記載の発明は、請求項２記載の情報入力装置において、
前記確率情報入力手段で入力される確率情報を構成する一部を前記確定情報入力手段の入力により選択する部分選択手段と、
前記確率情報入力手段で入力される確率情報に対する候補を前記部分選択手段で選択された文字を有する候補だけに制限する第３候補制限手段を有することにより、確度の高い候補を得ることができ、入力の精度が高くなる。
【発明の効果】
【００１６】
本発明によれば、迅速な入力を行うことができ、入力の精度が高くなる。
【発明を実施するための最良の形態】
【００１７】
以下、図面に基づいて本発明の実施形態について説明する。
【００１８】
図１は、本発明の情報入力装置の一実施形態のブロック図を示す。情報入力装置は、専用の装置構成とすることもできるが、例えば、汎用のパーソナルコンピュータ、ワークステーション等を適用することができる。
【００１９】
図１において、情報入力装置は、回線制御装置１１と、演算処理装置１２と、メモリ装置１３と、データベース１４と、入力装置１５と、出力装置１６から構成されており、これらはシステムバス１７で相互に接続されている。
【００２０】
回線制御装置１１は、公衆回線１８を介して接続されたユーザの電話機１９からの音声信号を受信し、入力装置１５内のマイクロホンで得られたオペレータの音声信号を公衆回線１８からユーザの電話機に送信する。また、回線制御装置１１は回線の接続／切断の制御を行う。
【００２１】
演算処理装置１２は、メモリ装置１３に記憶されている音声認識を含む各種処理のソフトウエアプログラムを実行する。データベース１４には情報入力処理で用いられる各種データベース（ＤＢ）が構築されている。入力装置１５は、マイクロホン、キーボード、マウス等を備えており、また、マイクロホンからのオペレータの音声信号をデジタル化するＡＤ変換器を有している。出力装置１６は、表示手段としてのディスプレイ、プリンタ等を備えている。
【００２２】
図２は、本発明の情報入力装置の一実施形態の機能構成図を示す。図２に示す各機能は演算処理装置１２で実行されるソフトウエアによって実現される。同図中、キーボード入力処理手段２０は、オペレータの操作による入力装置１５のキーボードからの入力情報を読み取り画面入力処理手段２４に供給する。
【００２３】
また、マウス入力処理手段２２は、オペレータの操作による入力装置１５のマウスからの入力情報を読み取り画面入力処理手段２４に供給する。画面入力処理手段２４は、上記キーボードまたはマウスからの入力情報を確定情報として出力装置１６のディスプレイ等の表示手段に反映させるため入力内容解析手段２６に供給する。
【００２４】
マイク入力処理手段２８は、オペレータの発話を入力装置１５のマイクロホンで変換した音声信号を取り込み音声認識処理手段３０に供給する。音声認識処理手段３０は、データベース１４内の音声認識候補ＤＢ（データベース）３２に予め登録されている文書構造候補及び候補語を使用して、マイク入力処理手段２８から供給される音声信号の音声認識を行い、認識結果としての複数の候補語及び確度を確率情報として入力内容解析手段２６に供給する。上記の音声認識は、文書全体を認識するのではなく、文書内の予め登録された候補語のみを認識するワードスポット認識を行う。
【００２５】
入力内容解析手段２６は、画面入力処理手段２４から供給された確定情報を音声認識処理手段３０に通知するとともに、音声認識処理手段３０から供給された確率情報から項目毎に同一内容の候補語を１つの候補語にまとめ、項目毎に候補語を確度が高い順に表示する表示要求を生成し、かつ、確定情報を表示するための表示要求を生成して応答制御手段３６に供給する。応答制御手段３６は、メモリ装置１３内の回答履歴保持手段３８、データベース１４内の商品情報ＤＢ４０及び回答情報ＤＢ４２を使用して表示内容を決定し、出力内容生成手段４４に供給する。
【００２６】
出力内容生成手段４４は、表示内容に応じた画面表示するための画面レイアウトデータや文字、数字、記号等のキャラクタデータを生成して画面出力処理手段４６に画面出力要求を出す。画面出力処理手段４６は、画面出力要求を基に表示画面の画像データを生成する。この画像データはディスプレイ出力処理手段４８を経て出力装置１６のディスプレイ等の表示手段に供給され表示される。
【００２７】
図３にコールセンタにおける対話の一実施形態のシーケンスを示す。同図中、ユーザからの発信に対してオペレータが応じると、ユーザは要件（１）「ノートパソコンの問い合わせです。」を発話する。これに対してオペレータは応答（１）「ノートパソコンのご質問ですね。機種名をどうぞ。」を発話し、次に、要件（２）「Ａ１２０です。」を発話すると、オペレータは応答（２）「Ａ１２０ですね。」を発話している。
【００２８】
図４は、音声認識候補ＤＢ３２に登録されている文書構造候補の一実施形態を示す。文書構造候補（１）は商品カテゴリを認識させる文書構造であり、文書構造候補（２）は対処内容を認識させる文書構造である。文書構造候補（３）は機種名を認識させる文書構造であり、文書構造候補（４）は商品カテゴリと対処内容を認識させる文書構造である。文書構造候補（５）は商品カテゴリと機種名を認識させる文書構造であり、文書構造候補（６）は機種名と対処内容を認識させる文書構造である。
【００２９】
図５は、音声認識候補ＤＢ３２に登録されている候補語の一実施形態を示す。図５（Ａ）は商品カテゴリの項目の候補語のテーブルであり、例えば候補語「ノートパソコン」に対応して、その読みとしての音声データが登録されている。図５（Ｂ）は対処内容の項目の候補語のテーブルであり、例えば候補語「質問」に対応して、その読みとしての音声データが登録され、また、各候補語のカテゴリ「ご質問」、「ご指摘」、「ご注文」等が登録されている。図５（Ｃ）は機種名の項目の候補語のテーブルであり、例えば候補語「Ａ１１０」に対応して、その読みとしての音声データ「えーいちいちまる」や「えーいちいちぜろ」が登録され、また、各候補語の商品カテゴリ「デスクトップパソコン」等が登録されている。
【００３０】
次に、図３に示すコールセンタにおける対話が行われ、応答（２）がなされた場合の確率情報表示処理について説明する。
【００３１】
図６は、本発明の情報入力装置が実行する確率情報入力処理の一実施形態のフローチャートを示す。同図中、ステップＳ１１でオペレータが音声入力を行うと、マイク入力処理手段２８はオペレータの音声信号を取り込み音声認識処理手段３０に供給する。ステップＳ１２で、音声認識処理手段３０は音声認識候補ＤＢ３２に予め登録されている文書構造候補及び候補語を使用して上記音声信号の音声認識を行い、認識結果としての複数の候補語及び確度を確率情報として入力内容解析手段２６に供給する。
【００３２】
ステップＳ１３で、入力内容解析手段２６は音声認識処理手段３０から供給される確率情報を表示して確定させるための表示要求を生成して応答制御手段３６に供給する。ステップＳ１４で、応答制御手段３６は、メモリ装置１３内の回答履歴保持手段３８、データベース１４内の商品情報ＤＢ４０及び回答情報ＤＢ４２を使用して表示内容を決定し、出力内容生成手段４４に供給する。
【００３３】
ステップＳ１５で、出力内容生成手段４４は表示の内容に応じた画面レイアウトデータやキャラクタデータを生成して画面出力処理手段４６に画面出力要求を出す。画面出力処理手段４６は画面出力要求を基に表示画面の画像データを生成してディスプレイに画面表示し、オペレータに確定情報の入力を促す。
【００３４】
ここで、オペレータの応答（１），（２）から音声認識処理手段３０は、図７（Ａ）に示す商品カテゴリの３つの候補語とその確度と、図７（Ｂ）に示す対処内容の３つの候補語とその確度と、図７（Ｃ）に示す機種名の２つの候補語とその確度を確率情報として入力内容解析手段２６に供給する。
【００３５】
入力内容解析手段２６は、音声認識処理手段３０から供給された確率情報のうち同一内容の候補語を１つの項目にまとめ、図８（Ａ）に示す商品カテゴリの２つの候補語とその確度を応答制御手段３６に供給する。対処内容と機種名については同一内容の候補語がないため図８（Ｂ），（Ｃ）に示す項目を応答制御手段３６に供給する。
【００３６】
この結果、ディスプレイには図９に示すように、商品カテゴリ、機種名、対処内容それぞれの確定表示領域５０，５１，５２の近傍に商品カテゴリ、機種名、対処内容それぞれの候補語表５５，５６，５７が表示される。候補語表５５，５６，５７には一または複数の候補語とその確度を表示する。なお、候補語表５５，５６，５７には少なくとも候補語が表示されれば良く、確度は必ずしも表示する必要はない。
【００３７】
図１０は、本発明の情報入力装置が実行する確率情報の確定処理の一実施形態のフローチャートを示す。この処理は、図９に示すように確率情報を表示している状態でキーボードやマウスの操作により実行される。
【００３８】
図１０において、ステップＳ２１で、オペレータがキーボードまたはマウスで入力操作を行うと、キーボード入力処理手段２０またはマウス入力処理手段２２はオペレータの操作に応じ候補語表５５，５６，５７それぞれから特定の候補語を選択する入力情報を読み取り、画面入力処理手段２４は上記入力情報で選択された候補語を確定情報として入力内容解析手段２６に供給する。
【００３９】
ステップＳ２２で、入力内容解析手段２６は確定情報としての選択された候補語を確定表示領域５０，５１，５２それぞれに表示させるための表示要求を生成して応答制御手段３６に供給する。なお、入力内容解析手段２６は候補語が選択された項目については候補語表５５，５６，５７の表示を停止させる。
【００４０】
ステップＳ２３で、応答制御手段３６は表示内容に応じた画面レイアウトデータやキャラクタデータを生成して画面出力処理手段４６に画面出力要求を出し、これに応じたディスプレイ表示が行われる。
【００４１】
図１１は、本発明の情報入力装置が実行する確定情報の入力による確率情報制限処理の一実施形態のフローチャートを示す。同図中、ステップＳ３１で、オペレータがキーボードまたはマウスで入力操作を行うと、キーボード入力処理手段２０またはマウス入力処理手段２２は確定表示領域５０に記入する入力情報（例えば「ノートパソコン」）を読み取り、画面入力処理手段２４は上記入力情報を確定情報として入力内容解析手段２６に供給する。
【００４２】
ステップＳ３２で、入力内容解析手段２６は確定情報としての選択された候補語を確定表示領域５０に表示させるための表示要求を生成して応答制御手段３６に供給し、出力内容生成手段４４に通知する。出力内容生成手段４４は表示内容に応じた画面レイアウトデータやキャラクタデータを生成して画面出力処理手段４６に画面出力要求を出し、これに応じて図１２に示すように、確定表示領域５０に「ノートパソコン」が記入されたディスプレイ表示が行われる。
【００４３】
ステップＳ３３で、入力内容解析手段２６は上記確定情報を音声認識処理手段３０に通知する。ステップＳ３４で、音声認識処理手段３０は音声認識候補ＤＢ３２に予め登録されている候補語のうち上記確定情報に対応する候補語のみを抽出する。
【００４４】
次に、ステップＳ３５でオペレータが音声入力を行うと、マイク入力処理手段２８はオペレータの音声信号を取り込み音声認識処理手段３０に供給する。ステップＳ３６で、音声認識処理手段３０は音声認識候補ＤＢ３２に予め登録されている文書構造候補及び抽出した候補語を使用して上記音声信号の音声認識を行う。
【００４５】
このようにして得られた認識結果としての複数の候補語及び確度は確率情報として入力内容解析手段２６に供給され、図６のフローチャートと同様にしてディスプレイ表示される。この場合、音声認識候補ＤＢ３２の機種名の候補語のテーブルには、図１２に示すように、デスクトップパソコン及びノートパソコンを含む候補語が登録されているが、確定情報「ノートパソコン」に対応する候補語のみが抽出され音声認識に使用されるため、音声認識の認識率（確度）を向上できる。なお、図１２に示す機種名の候補語はディスプレイ画面に表示されるわけではない。
【００４６】
図１０に示す確率情報の確定処理では、候補語表５５，５６，５７それぞれについてオペレータがマウス等で特定の候補語を選択することで確定情報としているが、図５（Ｃ）に示す音声認識候補ＤＢ３２の機種名の候補語のテーブルには、機種名とともに商品カテゴリが登録されているため、商品カテゴリに対し下位概念である機種名が確定すると、商品カテゴリも確定できる。このため、図１３に示す候補語表５６から機種名「Ａ１２０」がマウス等で選択されて確定されると同時に、候補語表５５から商品カテゴリ「ノートパソコン」が確定させる。これによって、オペレータの操作を少なくできる。
【００４７】
図１４は、本発明の情報入力装置が実行する入力項目選択による確率情報制限処理の一実施形態のフローチャートを示す。同図中、ステップＳ４１で、オペレータがキーボードまたはマウスでカーソルを確定表示領域５０〜５２のいずれかに移動させる入力操作を行うと、キーボード入力処理手段２０またはマウス入力処理手段２２はカーソル位置を入力項目指示の入力情報として読み取り、画面入力処理手段２４は上記入力情報を確定情報として入力内容解析手段２６に供給する。図１５に、カーソル６０で確定表示領域５１を入力項目として指示したディスプレイ表示の一例を示す。
【００４８】
ステップＳ４２で、入力内容解析手段２６は上記入力項目指示の確定情報を音声認識処理手段３０に通知する。ステップＳ４３で、音声認識処理手段３０は音声認識候補ＤＢ３２に予め登録されている候補語のうち上記入力項目指示の確定情報に対応する候補語のみを抽出する。
【００４９】
次に、ステップＳ４４でオペレータが音声入力を行うと、マイク入力処理手段２８はオペレータの音声信号を取り込み音声認識処理手段３０に供給する。ステップＳ４５で、音声認識処理手段３０は音声認識候補ＤＢ３２に予め登録されている文書構造候補及び抽出した候補語を使用して上記音声信号の音声認識を行う。
【００５０】
このようにして得られた認識結果としての複数の候補語及び確度は確率情報として入力内容解析手段２６に供給され、図６のフローチャートと同様にしてディスプレイ表示される。
【００５１】
この場合、音声認識候補ＤＢ３２には図５に示すように商品カテゴリ，機種名，対処内容それぞれの項目の候補語が登録されているが、図１５に示すように、入力項目指示の確定情報「機種名」に対応する機種名の候補語のみが抽出され音声認識に使用されるため、音声認識の認識率（確度）を向上できる。なお、図１５に示す機種名の候補語はディスプレイ画面に表示されるわけではない。
【００５２】
図１６は、本発明の情報入力装置が実行する対話例選択による対処内容決定処理の一実施形態のフローチャートを示す。同図中、ステップＳ５１で、応答制御手段３６は、商品カテゴリと機種名が確定した状態で、回答情報ＤＢ４２を使用して商品カテゴリと機種名に対応する対話例をディスプレイに表示する。図１７に、対話例６２を表示したディスプレイ表示の一例を示す。対話例としては、商品カテゴリと機種名が確定した状態でオペレータがユーザに対して話すことが多い例文を対処内容のカテゴリとともに表示する。
【００５３】
ステップＳ５２で、オペレータがキーボードまたはマウスでカーソルを対話例６２のいずれかの例文に移動させる入力操作を行うと、キーボード入力処理手段２０またはマウス入力処理手段２２はカーソル位置をカテゴリ指示の入力情報として読み取り、画面入力処理手段２４は上記入力情報を確定情報として入力内容解析手段２６に供給する。
【００５４】
ステップＳ５３で、入力内容解析手段２６は上記カテゴリ指示の確定情報を表示領域５２に表示させるための表示要求を生成して応答制御手段３６に供給する。それ以降、図６のフローチャートと同様にしてディスプレイ表示される。
【００５５】
図１８は、本発明の情報入力装置が実行する１文字選択による確率情報制限処理の一実施形態のフローチャートを示す。ここでは、図１９に示すように、確定表示領域５０に「ノートパソコン」が記入されて確定され、機種名の確定表示領域５１の近傍に文字選択表６４がディスプレイ表示されている状態からのフローチャートを示す。
【００５６】
図１８において、ステップＳ６１で、オペレータがキーボードまたはマウスでカーソルを文字選択表６４のいずれかの文字に移動させる入力操作を行うと、ステップＳ６２で、キーボード入力処理手段２０またはマウス入力処理手段２２はカーソル位置を１文字指示の入力情報として取り込み、画面入力処理手段２４は上記入力情報を確定情報として入力内容解析手段２６に供給する。
【００５７】
ステップＳ６３で、入力内容解析手段２６は上記確定情報を音声認識処理手段３０に通知する。ステップＳ６４で、音声認識処理手段３０は音声認識候補ＤＢ３２に予め登録されている候補語のうち上記１文字指示の確定情報に対応する候補語のみを抽出する。
【００５８】
次に、ステップＳ６５でオペレータが音声入力を行うと、マイク入力処理手段２８はオペレータの音声信号を取り込み音声認識処理手段３０に供給する。ステップＳ６６で、音声認識処理手段３０は音声認識候補ＤＢ３２に予め登録されている文書構造候補及び抽出した候補語を使用して上記音声信号の音声認識を行う。
【００５９】
このようにして得られた認識結果としての複数の候補語及び確度は確率情報として入力内容解析手段２６に供給され、図６のフローチャートと同様にしてディスプレイ表示される。この場合、音声認識候補ＤＢ３２の機種名の候補語のテーブルには、図１９に示すように、ノートパソコンの候補語が登録されているが、１文字指示の確定情報「Ａ」に対応する候補語のみが抽出され音声認識に使用されるため、音声認識の認識率（確度）を向上できる。なお、図１９に示す機種名の候補語はディスプレイ画面に表示されるわけではない。
【００６０】
図２０は、本発明の情報入力装置が実行する処理フロー選択による対処内容決定処理の一実施形態のフローチャートを示す。同図中、ステップＳ７１で、応答制御手段３６は、回答情報ＤＢ４２を使用して処理フローをディスプレイに表示する。図２１に、処理フロー６６を表示したディスプレイ表示の一例を示す。処理フロー６６としては、オペレータが選択する分岐部に対処内容のカテゴリ６７，６８等が表示されている。
【００６１】
ステップＳ７２で、オペレータがキーボードまたはマウスでカーソルを処理フロー６６のいずれかのカテゴリ６７，６８に移動させる入力操作を行うと、キーボード入力処理手段２０またはマウス入力処理手段２２はカーソル位置をカテゴリ指示の入力情報として読み取り、画面入力処理手段２４は上記入力情報を確定情報として入力内容解析手段２６に供給する。
【００６２】
ステップＳ７３で、入力内容解析手段２６は上記カテゴリ指示の確定情報を表示領域５２に表示させるための表示要求を生成して応答制御手段３６に供給する。それ以降、図６のフローチャートと同様にしてディスプレイ表示される。
【００６３】
図２２は、本発明の情報入力装置が実行する候補語の表示順変更処理の一実施形態のフローチャートを示す。同図中、ステップＳ８１でオペレータが例えば「ノートパソコン」の音声入力を行うと、マイク入力処理手段２８はオペレータの音声信号を取り込み音声認識処理手段３０に供給する。
【００６４】
ステップＳ８２で、音声認識処理手段３０は音声認識候補ＤＢ３２に予め登録されている文書構造候補及び候補語を使用して上記音声信号の音声認識を行い、認識結果としての複数の候補語及び確度を確率情報として入力内容解析手段２６に供給する。
【００６５】
ステップＳ８３で、入力内容解析手段２６は音声認識処理手段３０から供給される確率情報を表示して確定させるための表示要求を生成して応答制御手段３６に供給する。
【００６６】
ステップＳ８４で、応答制御手段３６は、メモリ装置１３内の回答履歴保持手段３８、データベース１４内の商品情報ＤＢ４０及び回答情報ＤＢ４２を使用して候補語表５５の表示内容を決定し、出力内容生成手段４４に供給する。この際に、応答制御手段３６は、回答履歴保持手段３８から上記音声入力に対する確度が最大の候補語「ノートパソコン」に対する回答履歴を抽出し、回答（つまり対処内容）の利用頻度に応じて対処内容を並び替えて候補語表５７の表示内容とし、出力内容生成手段４４に供給する。
【００６７】
図２３に、対処内容を並び替えて表示したディスプレイ画面の一例を示す。ここでは、回答の利用頻度に応じて並び替えた結果、候補語表５７には「ご質問」、「ご指摘」、「ご注文」の順にカテゴリが表示されている。
【００６８】
ステップＳ８５で、出力内容生成手段４４は表示の内容に応じた画面レイアウトデータやキャラクタデータを生成して画面出力処理手段４６に画面出力要求を出す。画面出力処理手段４６は画面出力要求を基に表示画面の画像データを生成してディスプレイに画面表示し、オペレータに確定情報の入力を促す。
【００６９】
図２４は、本発明の情報入力装置が実行する候補語の確度変更処理の一実施形態のフローチャートを示す。同図中、ステップＳ９１でオペレータが例えば「ノートパソコン」と「Ａ１２０」の音声入力を行うと、マイク入力処理手段２８はオペレータの音声信号を取り込み音声認識処理手段３０に供給する。
【００７０】
ステップＳ９２で、音声認識処理手段３０は音声認識候補ＤＢ３２に予め登録されている文書構造候補及び候補語を使用して上記音声信号の音声認識を行い、認識結果としての複数の候補語及び確度を確率情報として入力内容解析手段２６に供給する。
【００７１】
ステップＳ９３で、入力内容解析手段２６は音声認識処理手段３０から供給される確率情報を表示して確定させるための表示要求を生成して応答制御手段３６に供給する。
【００７２】
ステップＳ９４で、応答制御手段３６は、メモリ装置１３内の回答履歴保持手段３８、データベース１４内の商品情報ＤＢ４０及び回答情報ＤＢ４２を使用して候補語表５５の表示内容を決定し、出力内容生成手段４４に供給する。この際に、応答制御手段３６は、回答履歴保持手段３８から上記音声入力の「ノートパソコン」と「Ａ１２０」に対する回答履歴を抽出し、「ノートパソコン」と「Ａ１２０」が同時に使用される同時使用確率を抽出し、この同時使用確率に応じて候補語「ノートパソコン」，「Ａ１２０」それぞれの確度を変更し、候補語表５５，５６の表示内容として出力内容生成手段４４に供給する。
【００７３】
図２５に、候補語「ノートパソコン」，「Ａ１２０」それぞれの確度を変更して表示したディスプレイ画面の一例を示す。ここでは、音声認識における候補語「ノートパソコン」の確度は８０％で、音声認識における候補語「ノートパソコン」の確度は８０％であったが、「ノートパソコン」と「Ａ１２０」の同時使用確率が９０％であったために、候補語表５５，５６の表示内容としては「ノートパソコン  ９０％」、「ノートパソコン  ９０％」に変更されている。
【００７４】
ステップＳ９５で、出力内容生成手段４４は表示の内容に応じた画面レイアウトデータやキャラクタデータを生成して画面出力処理手段４６に画面出力要求を出す。画面出力処理手段４６は画面出力要求を基に表示画面の画像データを生成してディスプレイに画面表示し、オペレータに確定情報の入力を促す。
【００７５】
なお、ところで、上記の実施形態では音声認識を例として説明したが、音声認識の代りに画像認識を行うものであっても良く、上記の実施形態に限定されるものではない。この場合、マイク入力処理手段２８を画像入力処理手段に変更し、音声認識処理手段３０を画像認識処理手段に変更し、音声認識候補ＤＢを画像認識候補ＤＢに変更する。
【００７６】
なお、キーボード入力処理手段２０，マウス入力処理手段２２，画面入力処理手段２４が請求項記載の確定情報入力手段に対応し、マイク入力処理手段２８，音声認識処理手段３０，音声認識候補ＤＢ３２が確率情報入力手段に対応し、入力内容解析手段２６が選択確定手段に対応し、ステップＳ３４が第１候補制限手段に対応し、ステップＳ４１が入力項目選択手段に対応し、ステップＳ４３が第２候補制限手段に対応し、ステップＳ６２が部分選択手段に対応し、ステップＳ６４が第３候補制限手段に対応する。
（付記１）
確定情報を入力するとともに認識により確度が確率情報を入力する情報入力方法であって、
前記確率情報について複数の候補を表示手段に提示し、
提示された前記複数の候補から単一の候補を前記確定情報の入力により選択して確定することを特徴とする情報入力方法。
（付記２）
確定情報を入力する確定情報入力手段と、
確度が完全ではない確率情報を入力し複数の候補を得る確率情報入力手段と、
前記確率情報について複数の候補を表示手段に提示する候補表示手段と、
提示された前記複数の候補から単一の候補を前記確定情報入力手段の入力により選択して確定する選択確定手段を
有することを特徴とする情報入力装置。
（付記３）
付記２記載の情報入力装置において、
前記確率情報入力手段で入力される確率情報に対する候補を前記確定情報入力手段で入力された確定情報に対応する候補だけに制限する第１候補制限手段を
有することを特徴とする情報入力装置。
（付記４）
付記２記載の情報入力装置において、
前記確率情報入力手段で入力される複数項目のいずれかに対する候補を前記確定情報入力手段の入力により選択する入力項目選択手段と、
確率情報に対する候補を前記入力項目選択手段で選択された項目に対応する候補だけに制限する第２候補制限手段を
有することを特徴とする情報入力装置。
（付記５）
付記２記載の情報入力装置において、
前記確率情報入力手段で入力される確率情報を構成する一部を前記確定情報入力手段の入力により選択する部分選択手段と、
前記確率情報入力手段で入力される確率情報に対する候補を前記部分選択手段で選択された文字を有する候補だけに制限する第３候補制限手段を
有することを特徴とする情報入力装置。
（付記６）
付記２記載の情報入力装置において、
前記確率情報入力手段で複数項目の確率情報が入力され、前記選択手段で前記複数項目のいずれかの項目が前記選択確定手段により確定したとき、前記複数項目のうち前記確定した項目の上位概念である項目も同時に確定させることを特徴とする情報入力装置。
（付記７）
付記２記載の情報入力装置において、
前記確率情報入力手段で入力される確率情報と同一内容がディスプレイ表示の中から前記確定情報入力手段の入力により選択されたとき、前記確率情報の候補を同時に確定させることを特徴とする情報入力装置。
（付記８）
付記７記載の情報入力装置において、
前記ディスプレイ表示は対話例のカテゴリであることを特徴とする情報入力装置。
（付記９）
付記７記載の情報入力装置において、
前記ディスプレイ表示は処理フローのカテゴリであることを特徴とする情報入力装置。
（付記１０）
付記２記載の情報入力装置において、
前記確率情報入力手段で確率情報が入力されたとき、前記確率情報の過去の履歴に応じて他の項目に対する候補の表示順序を変更させることを特徴とする情報入力装置。
【図面の簡単な説明】
【００７７】
【図１】本発明の情報入力装置の一実施形態のブロック図である。
【図２】本発明の情報入力装置の一実施形態の機能構成図である。
【図３】コールセンタにおける対話の一実施形態のシーケンスである。
【図４】文書構造候補の一実施形態を示す図である。
【図５】候補語の一実施形態を示す図である。
【図６】本発明の情報入力装置が実行する確率情報入力処理の一実施形態のフローチャートである。
【図７】確率情報入力処理を説明するための図である。
【図８】確率情報入力処理を説明するための図である。
【図９】ディスプレイ表示例を示す図である。
【図１０】本発明の情報入力装置が実行する確率情報の確定処理の一実施形態のフローチャートである。
【図１１】本発明の情報入力装置が実行する確定情報の入力による確率情報制限処理の一実施形態のフローチャートである。
【図１２】ディスプレイ表示例と認識候補例を示す図である。
【図１３】ディスプレイ表示例を示す図である。
【図１４】本発明の情報入力装置が実行する入力項目選択による確率情報制限処理の一実施形態のフローチャートである。
【図１５】ディスプレイ表示例と認識候補例を示す図である。
【図１６】本発明の情報入力装置が実行する対話例選択による対処内容決定処理の一実施形態のフローチャートである。
【図１７】ディスプレイ表示例を示す図である。
【図１８】本発明の情報入力装置が実行する１文字選択による確率情報制限処理の一実施形態のフローチャートである。
【図１９】ディスプレイ表示例と認識候補例を示す図である。
【図２０】本発明の情報入力装置が実行する処理フロー選択による対処内容決定処理の一実施形態のフローチャートである。
【図２１】ディスプレイ表示例を示す図である。
【図２２】本発明の情報入力装置が実行する候補語の表示順変更処理の一実施形態のフローチャートである。
【図２３】ディスプレイ表示例を示す図である。
【図２４】本発明の情報入力装置が実行する候補語の確度変更処理の一実施形態のフローチャートである。
【図２５】ディスプレイ表示例を示す図である。
【符号の説明】
【００７８】
１１  回線制御装置
１２  演算処理装置
１３  メモリ装置
１４  データベース
１５  入力装置
１６  出力装置
１７  システムバス
２０  キーボード入力処理手段
２２  マウス入力処理手段
２４  画面入力処理手段
２６  入力内容解析手段
２８  マイク入力処理手段
３０  音声認識処理手段
３２  音声認識候補ＤＢ
３６  応答制御手段
３８  回答履歴保持手段
４０  商品情報ＤＢ
４２  回答情報ＤＢ
４４  出力内容生成手段
４６  画面出力処理手段
４８  ディスプレイ出力処理手段
【図１】
2006011641.tif 000003
【図２】
2006011641.tif 000004
【図３】
2006011641.tif 000005
【図４】
2006011641.tif 000006
【図５】
2006011641.tif 000007
【図６】
2006011641.tif 000008
【図７】
2006011641.tif 000009
【図８】
2006011641.tif 000010
【図９】
2006011641.tif 000011
【図１０】
2006011641.tif 000012
【図１１】
2006011641.tif 000013
【図１２】
2006011641.tif 000014
【図１３】
2006011641.tif 000015
【図１４】
2006011641.tif 000016
【図１５】
2006011641.tif 000017
【図１６】
2006011641.tif 000018
【図１７】
2006011641.tif 000019
【図１８】
2006011641.tif 000020
【図１９】
2006011641.tif 000021
【図２０】
2006011641.tif 000022
【図２１】
2006011641.tif 000023
【図２２】
2006011641.tif 000024
【図２３】
2006011641.tif 000025
【図２４】
2006011641.tif 000026
【図２５】
2006011641.tif 000027